(57)【要約】 【課題】  単純な構成ながら適切に締め付けを行うことができる上に、長時間の装着時にもずれたりすることがないものとする。【解決手段】  人体に接して巻かれる本体ベルト１と、この本体部に張力を与えて締め付ける締め付けベルト２とを備える。本体ベルト１は、左右の本体部と、両本体部間をつないでいる屈伸部と本体部同士を着脱自在に連結する連結部材を備える。締め付けベルトは、一端が左側の本体部と上記屈伸部との境界部に連結された右側締め付けベルトと、一端が右側の本体部と上記屈伸部との境界部に連結された左側締め付けベルトと左右の締め付けベルトを固定して締め付け状態を保持する固定部材を備える。本体ベルトのほぼ中央に位置する上記屈伸部は、上記締め付けにより内周側に折れ曲がるものとして形成されている。【選択図】  図４
2012065764.tif 000002
【特許請求の範囲】
【請求項１】
人体に接して巻かれる本体ベルトと、この本体部に張力を与えて締め付ける締め付けベルトとを備え、上記本体ベルトは、左右の本体部と、両本体部間をつないでいる屈伸部とからなるとともに本体部同士を着脱自在に連結する連結部材を備えており、上記締め付けベルトは、一端が左側の本体部と上記屈伸部との境界部に連結された右側締め付けベルトと、一端が右側の本体部と上記屈伸部との境界部に連結された左側締め付けベルトとからなるとともに左右の締め付けベルトを固定して締め付け状態を保持する固定部材を備えており、本体ベルトのほぼ中央に位置する上記屈伸部は、上記締め付けにより内周側に折れ曲がるものとして形成されていることを特徴とする骨盤矯正ベルト。
【請求項２】
上記屈伸部に左右の締め付けベルトを通すベルトループを設けていることを特徴とする請求項１記載の骨盤矯正ベルト。
【発明の詳細な説明】
【技術分野】
【０００１】
本発明は、骨盤の矯正を目的として腰の周囲に巻き付けられる骨盤矯正ベルトに関するものである。
【背景技術】
【０００２】
腰痛の治療や予防、あるいは骨盤の矯正等のために人体の腰部分に巻き付けるベルトとしては各種のものが存在しているが、骨盤の矯正、殊に仙腸関節の状態を適切に保つには、腰部というよりも、人体臀部の上部及び下腹部（骨盤まわり）に巻き付けて締め付けるものが効果的である。
【０００３】
しかし上記の部分に巻き付けて締め付けるにあたっては、ベルトが１本の帯状のものではその締め付け力を大きくすることが困難であるために、特許文献１に示されているように、人体に接して巻かれる本体ベルトと、この本体部に張力を与えて締め付ける締め付けベルトとからなるものが提案されている。
【０００４】
上記本体ベルトは、左右の本体部と、両本体部間をつないでいる伸縮部とからなり、上記締め付けベルトは、一端が左側の本体部と伸縮部との境界部に連結された右側締め付けベルトと、一端が右側の本体部と伸縮部との境界部に連結された左側締め付けベルトとからなり、本体ベルトを人体腰部に軽く巻き付けた後、左右の締め付けベルトを引っ張った状態で左右の締め付けベルト同士を連結することで、本体ベルトに張力を与えて腰部を締め付けた状態とする。左右の締め付けベルトを引っ張れば、本体ベルトはその伸縮部が縮んで左右の本体部における伸縮部を挟んだ部分の間の距離が短くなることで、本体ベルトが締められるものである。
【０００５】
本体ベルトを巻いた後、締め付けベルトの締め付けで締め付け力を大きくすることができるために、本体ベルトを人体の適切な部位に巻き付けることができる上に、締め付け力を大きくすることが容易となっている。
【先行技術文献】
【特許文献】
【０００６】
【特許文献１】特開平１１−１０４１５９号公報
【発明の概要】
【発明が解決しようとする課題】
【０００７】
本体ベルトに加えて締め付けベルトが存在するものは、上述のように、従前の１本の帯状のものよりも好ましい結果を得ることができるのであるが、従来のこの種のベルトは、１本の帯状のものを含め、骨盤矯正のために人体臀部の上部及び下腹部（骨盤のまわり）に巻き付ける場合のことを想定した場合、上下幅が大きすぎると骨盤に適切な力を加えることが難しくなる上に衣服の下で嵩張るものとなり、かといって上下幅を狭くすると、上下に、殊に上方側にずれやすくなる。
【０００８】
巻き付ける部位毎のベルトを組み合わせることで、上下のずれを防ぐことができるようにしたものも存在するが、この場合、全体として嵩が高くなり、着衣の下に目立たないように装着することができなくなる。
【０００９】
本発明はこのような点に鑑みなされたものであって、単純な構成ながら適切に締め付けを行うことができる上に、長時間の装着時にもずれたりすることがない骨盤矯正ベルトを提供することを課題とするものである。
【課題を解決するための手段】
【００１０】
本発明は、人体に接して巻かれる本体ベルトと、この本体部に張力を与えて締め付ける締め付けベルトとを備え、上記本体ベルトは、左右の本体部と、両本体部間をつないでいる屈伸部とからなるとともに本体部同士を着脱自在に連結する連結部材を備えており、上記締め付けベルトは、一端が左側の本体部と上記屈伸部との境界部に連結された右側締め付けベルトと、一端が右側の本体部と上記屈伸部との境界部に連結された左側締め付けベルトとからなるとともに左右の締め付けベルトを固定して締め付け状態を保持する固定部材を備えており、本体ベルトのほぼ中央に位置する上記屈伸部は、上記締め付けにより内周側に折れ曲がるものとして形成されていることに特徴を有している。
【００１１】
本体ベルトの上から締め付けベルトを締め付けた時、本体ベルトにおける屈伸部が内周側に折れ曲がって突出し、人体臀部における臀裂に収まるようにしたものである。
【００１２】
屈伸部に左右の締め付けベルトを通すベルトループを設けておくと、屈伸部におけるベルトループを設けた部分は内周側に突出せず、他の部分が内周側に折れ曲がることになるために、屈伸部の折れ曲がり形状をコントロールすることができる。
【発明の効果】
【００１３】
本発明においては、本体ベルトの上から締め付けベルトを締め付けた時、本体ベルトにおける屈伸部が内周側に折れ曲がって突出し、人体臀部における臀裂に収まるものであり、この臀裂に収まった屈伸部は人体における仙骨をサポートして骨盤矯正の有効性を高める上に、本体ベルトがずれてしまうことを防ぐことになる。
【図面の簡単な説明】
【００１４】
【図１】本発明の実施の形態の一例の正面図である。
【図２】同上の背面図である。
【図３】同上の人体腰部に巻き付けた際の斜視図である。
【図４】同上の人体腰部に巻き付けた際の斜視図である。
【発明を実施するための形態】
【００１５】
本発明の実施の形態の一例に基づいて説明すると、この骨盤矯正ベルトは、図１及び図２に示すように、本体ベルト１と、本体ベルト１の外周側に配された締め付けベルト２とからなる。いずれのベルト１，２も伸縮性は殆ど有していないものとして形成されている。
【００１６】
人体に接して巻かれることになる上記本体ベルト１は、左右の本体部１１，１２と、両本体部１１，１２間をつないでいる屈伸部１３とからなるもので、本体部１１，１２の内周側には摩擦係数が大である滑り止めテープ１７，１７が上下の縁に沿って複数箇所に取り付けられており、また左右の本体部１１，１２の自由端同士を着脱自在に連結する連結部材として、長手方向両端の内周面側には面状ファスナー１８が取り付けられ、表面側には上記面状ファスナー１８と係合自在な面状ファスナー１９が取り付けられている。
【００１７】
本体部１１，１２間に設けた屈伸部１３は、締め付けベルト２を締めた際に折り畳まれることになる部分であって、折り畳みの際に折れる部分に縫い糸による縫線１５，１６を設けてある。また、屈伸部１３の左右方向中央にはベルトループ１４を取り付けてある。上記縫線１６はベルトループ１４の取り付けにも利用されている。
【００１８】
締め付けベルト２は、一端が左側の本体部１１と上記屈伸部１３との境界部に連結された右側締め付けベルト２と、一端が右側の本体部１２と上記屈伸部１３との境界部に連結された左側締め付けベルト２とからなり、左側締め付けベルト２及び右側締め付けベルト２は、夫々表面に面状ファスナー２９が設けられた固定片２１，２２と、メッシュ状素材で形成された中間片２３，２４と、複数本が間隔を置いて平行に並んでいる接続片２５，２６で構成されている。なお、左側締め付けベルト２の接続片２５と右側締め付けベルト２の接続片２６とは上下に交互に並ぶことで、周方向における同一位置に存在することを許している。
【００１９】
そして固定片２１，２２の自由端側の内面と、上記中間片２３，２４における固定片２１，２２側の端部の内面とに、上記面状ファスナー１９，２９と係合自在な面状ファスナー２８が取り付けられている。
【００２０】
この骨盤矯正ベルトを使用するにあたっては、締め付けベルト２，２に設けた面状ファスナー２８が面状ファスナー１９，２９に係合している場合、まず該係合を解除し、本体ベルト１の両端を相反する方向に引っ張ることで、本体ベルト１における屈伸部１３を引き伸ばす。そしてこの屈伸部１３を引き伸ばした状態において、本体ベルト部１を臀部から下腹部にかけての部分（骨盤の回り）に巻回し、面状ファスナー１８を面状ファスナー１９に係合させることで、本体ベルト１を腰に装着する。この時、屈伸部１３は臀部の臀裂付近に位置させる。本体ベルト１はずり落ちない程度に軽く締めるだけでよい。
【００２１】
次いで本体ベルト１に繋がっている締め付けベルト２，２の両端を持ち、左右に引っ張ることで本体ベルト１を締め付け、この状態で締め付けベルト２の内面に設けた面状ファスナー２８を本体ベルト１外面の面状ファスナー１９や締め付けベルト２外面上の面状ファスナー２９に係合させる。この時、固定片２１の上に固定片２２を重ねても、固定片２２の上に固定片２１を重ねてもよい。
【００２２】
締め付けベルト２，２を引っ張ることで締め付けた時、前述のように右側締め付けベルト２は本体部１の左側の本体部１１に、左側の締め付けベルト２は右側の本体部１２に繋がっているために、締め付けによって両本体部１１，１２は屈伸部１３側の端部が相互に接近するものであり、これに伴って屈伸部１３が折り畳まれる。
【００２３】
屈伸部１３の中央に設けたベルトループ１４には締め付けベルト２，２の接続片２５，２６を通してあるために、屈伸部１３はその中央と本体部１１，１２との間の部分が内周側（人体側）に突出するように折れ曲がって人体臀部における臀裂に収まり、人体の仙骨部分をサポートする。このサポート状態は、締め付けベルト２の締め付け力を変えることによって調整することができる。
【００２４】
また、折り畳まれた屈伸部１３が臀裂に収まることにより、左右にずれたりすることがないのはもちろん、装着者が座ったり立ったりの動作を繰り返しても、骨盤矯正ベルトが上方にずれてしまうことも殆ど生じることがない。
【００２５】
さらに締め付けに伴って屈伸部１３が折り畳まれて臀裂に収まるために、締め付けで生じる弛み部分が人体に圧迫感や違和感を感じさせるということもなく、長時間装着が苦になってしまうこともない。
【００２６】
なお、ここで示した骨盤矯正ベルトは、上下の区別がなく、左側締め付けベルト２１が右側に、右側締め付けベルト２２が左側にくるように装着しても、何ら問題はなく、面状ファスナー１８，１９も、本体ベルト１のどちらの端が上に重なるように装着してもよいために、また前述のように締め付けベルト２も左右どちらを上に重ねるようにしてもよいために、腰まわりへの装着に際して骨盤矯正ベルトの方向性で戸惑いが生じるようなことはなく、間違いなく装着することができる。
【００２７】
しかも本体ベルト１単体でも腰に巻き付けることができるものであり、締め付けベルト２の締め付け力を変更したりするときなども、本体ベルト１の位置がずれたりすることがない。
【符号の説明】
【００２８】
１  本体ベルト
２  締め付けベルト
１１  本体部
１２  本体部
１３  屈伸部
１４  ベルトループ
【図１】
2012065764.tif 000003
【図２】
2012065764.tif 000004
【図３】
2012065764.tif 000005
【図４】
2012065764.tif 000006